(57)【要約】【課題】通信端末が圏外に移動した場合であっても、通信内容の理解ができる範囲で、通信内容を通信相手の通信端末に送信する。【解決手段】本発明に係る通信端末は、音声入力部と、音声パケットを生成する音声パケット生成部と、音声パケットを送信するデータ送信部と、音声パケットを送信できるか否かを判断する通信可否判断部と、通信可否判断部が、音声パケットを送信できないと判断した場合に、送信すべき音声パケットが示す音声データを記録するデータ記録部と、音声データを記録した場合に、音声パケットを送信できる状態になったことを検知する送信可能検知部と、送信可能検知部が、音声パケットを送信できる状態になったこと検知した場合に、データ記録部が記録している音声データを示す音声パケットを送信させる送信制御部とを備える。【選択図】図２
2008104082.tif 000002
【特許請求の範囲】
【請求項１】
音声データのパケット通信を行う通信端末であって、
音声を入力する音声入力部と、
前記音声入力部が入力した前記音声を示す音声パケットを生成する音声パケット生成部と、
前記音声パケット生成部が生成した前記音声パケットを通信相手の通信端末に送信するデータ送信部と、
前記通信相手の前記通信端末との通信を中継する外部の通信中継装置からの電界強度を監視することにより、前記データ送信部から前記通信相手の前記通信端末へ前記音声パケットを送信できるか否かを判断する通信可否判断部と、
前記通信可否判断部が、前記データ送信部から前記音声パケットを送信できないと判断した場合に、前記データ送信部が送信すべき前記音声パケットが示す音声データを記録するデータ記録部と、
前記データ記録部が前記音声データを記録した場合に、前記通信中継装置からの電界強度を監視することにより、前記データ送信部から前記音声パケットを送信できる状態になったことを検知する送信可能検知部と、
前記送信可能検知部が、前記データ送信部から前記音声パケットを送信できる状態になったこと検知した場合に、前記データ記録部が記録している前記音声データを示す前記音声パケットを前記データ送信部から前記通信相手の前記通信端末に送信させる送信制御部と
を備える通信端末。
【請求項２】
前記送信制御部は、前記通信可否判断部が前記音声パケットを送信できないと判断したときから、予め定められた第１の時間が経過するまでに、前記送信可能検知部が前記音声パケットを送信できる状態になったことを検知した場合に、前記データ記録部が記録している前記音声データが示す前記音声パケットを前記データ送信部から前記通信相手の前記通信端末に送信させる
請求項１に記載の通信端末。
【請求項３】
前記通信可否判断部が前記音声パケットを送信できないことを判断したときから、前記第１の時間が経過するまでに、前記送信可能検知部が前記音声パケットを送信できる状態になったことを検知しない場合に、前記データ記録部が記録している前記音声データを消去するデータ消去部
を更に備える請求項２に記載の通信端末。
【請求項４】
前記通信相手の前記通信端末が送信した音声パケットを受信するデータ受信部と、
前記データ受信部が受信した音声パケットが示す音声を出力する音声出力部と、
前記データ受信部が音声パケットを受信して前記音声出力部が音声を出力する受信モード、前記音声入力部が音声を入力して前記データ送信部が音声パケットを送信する送信モードのいずれかに当該通信端末の通信モードを設定する通信モード設定部と
を更に備え、
半二重通信方式で音声データのパケット通信を行う
請求項１に記載の通信端末。
【請求項５】
前記通信可否判断部が前記音声パケットを送信できないと判断したときから、予め定められた第１の時間よりも長い予め定められた第２の時間が経過するまでに、前記送信可能検知部が前記音声パケットを送信できる状態になったことを検知しない場合に、前記通信相手の前記通信端末との間の半二重通信を終了する通信制御部
を更に備える請求項４に記載の通信端末。
【請求項６】
音声データのパケット通信を行う通信方法であって、
音声を入力する音声入力段階と、
前記音声入力段階において入力された前記音声を示す音声パケットを生成する音声パケット生成段階と、
通信相手の通信端末との通信を中継する外部の通信中継装置からの電界強度を監視することにより、前記音声パケット生成段階において生成した前記音声パケットを前記通信相手の前記通信端末に送信するデータ送信部から送信できるか否かを判断する通信可否判断段階と、
前記通信可否判断段階において、前記データ送信部から前記音声パケットを送信できないと判断した場合に、前記データ送信部が送信すべき前記音声パケットが示す音声データを記録するデータ記録段階と、
前記データ記録段階で前記音声データが記録された場合に、前記通信中継装置からの電界強度を監視することにより、前記データ送信部から前記音声パケットを送信できる状態になったことを検知する送信可能検知段階と、
前記送信可能検知段階において、前記データ送信部から前記音声パケットを送信できる状態になったこと検知した場合に、前記データ記録段階において記録した前記音声データを示す前記音声パケットを前記データ送信部から前記通信相手の前記通信端末に送信させる送信制御段階と
を備える通信方法。
【請求項７】
音声データのパケット通信を行う通信端末用の通信プログラムであって、前記通信端末を、
音声を入力する音声入力部、
前記音声入力部が入力した前記音声を示す音声パケットを生成する音声パケット生成部、
前記音声パケット生成部が生成した前記音声パケットを通信相手の通信端末に送信するデータ送信部、
前記通信相手の前記通信端末との通信を中継する外部の通信中継装置からの電界強度を監視することにより、前記データ送信部から前記通信相手の前記通信端末へ前記音声パケットを送信できるか否かを判断する通信可否判断部、
前記通信可否判断部が、前記データ送信部から前記音声パケットを送信できないと判断した場合に、前記データ送信部が送信すべき前記音声パケットが示す音声データを記録するデータ記録部、
前記データ記録部が前記音声データを記録した場合に、前記通信中継装置からの電界強度を監視することにより、前記データ送信部から前記音声パケットを送信できる状態になったことを検知する送信可能検知部、
前記送信可能検知部が、前記データ送信部から前記音声パケットを送信できる状態になったこと検知した場合に、前記データ記録部が記録している前記音声データを示す前記音声パケットを前記データ送信部から前記通信相手の前記通信端末に送信させる送信制御部
として機能させる通信プログラム。
【請求項８】
第１通信端末と前記第１通信端末の通信相手である第２通信端末との間の音声データのパケット通信を制御する通信制御装置であって、
前記第１通信端末が送信する音声パケットを受信するデータ受信部と、
前記データ受信部が受信した音声パケットを前記第２通信端末に送信するデータ送信部と、
前記第２通信端末との通信を中継する外部の通信中継装置から前記第２通信端末への電界強度に基づいて、前記第２通信端末へ前記データ送信部から前記音声パケットを送信できるか否かを判断する通信可否判断部と、
前記通信可否判断部が、前記第２通信端末へ前記データ送信部から前記音声パケットを送信できないと判断した場合に、前記データ送信部が送信すべき前記音声パケットが示す音声データを記録するデータ記録部と、
前記データ記録部が前記音声データを記録した場合に、前記通信中継装置から前記第２通信端末への電界強度に基づいて、前記データ送信部から前記第２通信端末へ前記音声パケットを送信できる状態になったことを検知する送信可能検知部と、
前記送信可能検知部が、前記データ送信部から前記音声パケットを送信できる状態になったこと検知した場合に、前記データ記録部が記録している前記音声データを示す前記音声パケットを前記データ送信部から前記第２通信端末に送信させる送信制御部と
を備える通信制御装置。
【請求項９】
第１通信端末と前記第１通信端末の通信相手である第２通信端末との間の音声データのパケット通信を制御する通信制御方法であって、
前記第１通信端末が送信する音声パケットを受信するデータ受信段階と、
前記第２通信端末との通信を中継する外部の通信中継装置から前記第２通信端末への電界強度に基づいて、前記第２通信端末へ、前記データ受信段階において受信された音声パケットを前記第２通信端末に送信するデータ送信部から前記音声パケットを送信できるか否かを判断する通信可否判断段階と、
前記通信可否判断段階において、前記第２通信端末へ前記データ送信部から前記音声パケットを送信できないと判断した場合に、前記データ送信部が送信すべき前記音声パケットが示す音声データを記録するデータ記録段階と、
前記データ記録段階において前記音声データを記録した場合に、前記通信中継装置から前記第２通信端末への電界強度に基づいて、前記データ送信部から前記第２通信端末へ前記音声パケットを送信できる状態になったことを検知する送信可能検知段階と、
前記送信可能検知段階において、前記データ送信部から前記音声パケットを送信できる状態になったこと検知した場合に、前記データ記録段階において記録した前記音声データを示す前記音声パケットを前記データ送信部から前記第２通信端末に送信させる送信制御段階と
を備える通信制御方法。
【請求項１０】
第１通信端末と前記第１通信端末の通信相手である第２通信端末との間の音声データのパケット通信を制御する通信制御装置用の通信制御プログラムであって、前記通信制御装置を、
前記第１通信端末が送信する音声パケットを受信するデータ受信部、
前記データ受信部が受信した音声パケットを前記第２通信端末に送信するデータ送信部、
前記第２通信端末との通信を中継する外部の通信中継装置から前記第２通信端末への電界強度に基づいて、前記第２通信端末へ前記データ送信部から前記音声パケットを送信できるか否かを判断する通信可否判断部、
前記通信可否判断部が、前記第２通信端末へ前記データ送信部から前記音声パケットを送信できないと判断した場合に、前記データ送信部が送信すべき前記音声パケットが示す音声データを記録するデータ記録部、
前記データ記録部が前記音声データを記録した場合に、前記通信中継装置から前記第２通信端末への電界強度に基づいて、前記データ送信部から前記第２通信端末へ前記音声パケットを送信できる状態になったことを検知する送信可能検知部、
前記送信可能検知部が、前記データ送信部から前記音声パケットを送信できる状態になったこと検知した場合に、前記データ記録部が記録している前記音声データを示す前記音声パケットを前記データ送信部から前記第２通信端末に送信させる送信制御部
として機能させる通信制御プログラム。
【請求項１１】
通信相手の通信端末と音声データのパケット通信をする通信端末と、前記通信端末と前記通信相手の前記通信端末との間の音声データのパケット通信を制御する通信制御装置とを備える通信システムであって、
前記通信端末は、
音声を入力する音声入力部と、
前記音声入力部が入力した前記音声を示す音声パケットを生成する音声パケット生成部と、
前記音声パケット生成部が生成した前記音声パケットを通信相手の通信端末に送信するデータ送信部と、
前記通信相手の前記通信端末との通信を中継する外部の通信中継装置からの電界強度を監視することにより、前記データ送信部から前記通信相手の前記通信端末へ前記音声パケットを送信できるか否かを判断する通信可否判断部と、
前記通信可否判断部が、前記データ送信部から前記音声パケットを送信できないと判断した場合に、前記データ送信部が送信すべき前記音声パケットが示す音声データを記録するデータ記録部と、
前記データ記録部が前記音声データを記録した場合に、前記通信中継装置からの電界強度を監視することにより、前記データ送信部から前記音声パケットを送信できる状態になったことを検知する送信可能検知部と、
前記送信可能検知部が、前記データ送信部から前記音声パケットを送信できる状態になったこと検知した場合に、前記データ記録部が記録している前記音声データを示す前記音声パケットを前記データ送信部から前記通信相手の前記通信端末に送信させる送信制御部と
を有する通信システム。
【請求項１２】
通信相手の通信端末と音声データのパケット通信をする通信端末と、前記通信端末と前記通信相手の前記通信端末との間の音声データのパケット通信を制御する通信制御装置とを備える通信システムにおける前記通信端末が音声データのパケット通信を行う通信方法であって、
音声を入力する音声入力段階と、
前記音声入力段階において入力された前記音声を示す音声パケットを生成する音声パケット生成段階と、
通信相手の通信端末との通信を中継する外部の通信中継装置からの電界強度を監視することにより、前記音声パケット生成段階において生成した前記音声パケットを前記通信相手の前記通信端末に送信するデータ送信部から送信できるか否かを判断する通信可否判断段階と、
前記通信可否判断段階において、前記データ送信部から前記音声パケットを送信できないと判断した場合に、前記データ送信部が送信すべき前記音声パケットが示す音声データを記録するデータ記録段階と、
前記データ記録段階で前記音声データが記録された場合に、前記通信中継装置からの電界強度を監視することにより、前記データ送信部から前記音声パケットを送信できる状態になったことを検知する送信可能検知段階と、
前記送信可能検知段階において、前記データ送信部から前記音声パケットを送信できる状態になったこと検知した場合に、前記データ記録段階において記録した前記音声データを示す前記音声パケットを前記データ送信部から前記通信相手の前記通信端末に送信させる送信制御段階と
を有する通信方法。
【請求項１３】
通信相手の通信端末と音声データのパケット通信をする通信端末と、前記通信端末と前記通信相手の前記通信端末との間の音声データのパケット通信を制御する通信制御装置とを備える通信システム用の通信プログラムであって、前記通信システムの前記通信端末を、
音声を入力する音声入力部、
前記音声入力部が入力した前記音声を示す音声パケットを生成する音声パケット生成部、
前記音声パケット生成部が生成した前記音声パケットを通信相手の通信端末に送信するデータ送信部、
前記通信相手の前記通信端末との通信を中継する外部の通信中継装置からの電界強度を監視することにより、前記データ送信部から前記通信相手の前記通信端末へ前記音声パケットを送信できるか否かを判断する通信可否判断部、
前記通信可否判断部が、前記データ送信部から前記音声パケットを送信できないと判断した場合に、前記データ送信部が送信すべき前記音声パケットが示す音声データを記録するデータ記録部、
前記データ記録部が前記音声データを記録した場合に、前記通信中継装置からの電界強度を監視することにより、前記データ送信部から前記音声パケットを送信できる状態になったことを検知する送信可能検知部、
前記送信可能検知部が、前記データ送信部から前記音声パケットを送信できる状態になったこと検知した場合に、前記データ記録部が記録している前記音声データを示す前記音声パケットを前記データ送信部から前記通信相手の前記通信端末に送信させる送信制御部
として機能させる通信プログラム。
【請求項１４】
第１通信端末と前記第１通信端末の通信相手である第２通信端末と、前記第１通信端末と前記第２通信端末との間の音声データのパケット通信を制御する通信制御装置を備える通信システムであって、
前記通信制御装置は、
前記第１通信端末が送信する音声パケットを受信するデータ受信部と、
前記データ受信部が受信した音声パケットを前記第２通信端末に送信するデータ送信部と、
前記第２通信端末との通信を中継する外部の通信中継装置から前記第２通信端末への電界強度に基づいて、前記第２通信端末へ前記データ送信部から前記音声パケットを送信できるか否かを判断する通信可否判断部と、
前記通信可否判断部が、前記第２通信端末へ前記データ送信部から前記音声パケットを送信できないと判断した場合に、前記データ送信部が送信すべき前記音声パケットが示す音声データを記録するデータ記録部と、
前記データ記録部が前記音声データを記録した場合に、前記通信中継装置から前記第２通信端末への電界強度に基づいて、前記データ送信部から前記第２通信端末へ前記音声パケットを送信できる状態になったことを検知する送信可能検知部と、
前記送信可能検知部が、前記データ送信部から前記音声パケットを送信できる状態になったこと検知した場合に、前記データ記録部が記録している前記音声データを示す前記音声パケットを前記データ送信部から前記第２通信端末に送信させる送信制御部と
を有する通信システム。
【請求項１５】
第１通信端末と前記第１通信端末の通信相手である第２通信端末と、前記第１通信端末と前記第２通信端末との間の音声データのパケット通信を制御する通信制御装置を備える通信システムにおける前記通信制御装置が通信を制御する通信制御方法であって、
前記第１通信端末が送信する音声パケットを受信するデータ受信段階と、
前記第２通信端末との通信を中継する外部の通信中継装置から前記第２通信端末への電界強度に基づいて、前記第２通信端末へ、前記データ受信段階において受信された音声パケットを前記第２通信端末に送信するデータ送信部から前記音声パケットを送信できるか否かを判断する通信可否判断段階と、
前記通信可否判断段階において、前記第２通信端末へ前記データ送信部から前記音声パケットを送信できないと判断した場合に、前記データ送信部が送信すべき前記音声パケットが示す音声データを記録するデータ記録段階と、
前記データ記録段階において前記音声データを記録した場合に、前記通信中継装置から前記第２通信端末への電界強度に基づいて、前記データ送信部から前記第２通信端末へ前記音声パケットを送信できる状態になったことを検知する送信可能検知段階と、
前記送信可能検知段階において、前記データ送信部から前記音声パケットを送信できる状態になったこと検知した場合に、前記データ記録段階において記録した前記音声データを示す前記音声パケットを前記データ送信部から前記第２通信端末に送信させる送信制御段階と
を有する通信制御方法。
【請求項１６】
第１通信端末と前記第１通信端末の通信相手である第２通信端末と、前記第１通信端末と前記第２通信端末との間の音声データのパケット通信を制御する通信制御装置を備える通信システム用の通信制御プログラムであって、前記通信制御装置を、
前記第１通信端末が送信する音声パケットを受信するデータ受信部、
前記データ受信部が受信した音声パケットを前記第２通信端末に送信するデータ送信部、
前記第２通信端末との通信を中継する外部の通信中継装置から前記第２通信端末への電界強度に基づいて、前記第２通信端末へ前記データ送信部から前記音声パケットを送信できるか否かを判断する通信可否判断部、
前記通信可否判断部が、前記第２通信端末へ前記データ送信部から前記音声パケットを送信できないと判断した場合に、前記データ送信部が送信すべき前記音声パケットが示す音声データを記録するデータ記録部、
前記データ記録部が前記音声データを記録した場合に、前記通信中継装置から前記第２通信端末への電界強度に基づいて、前記データ送信部から前記第２通信端末へ前記音声パケットを送信できる状態になったことを検知する送信可能検知部、
前記送信可能検知部が、前記データ送信部から前記音声パケットを送信できる状態になったこと検知した場合に、前記データ記録部が記録している前記音声データを示す前記音声パケットを前記データ送信部から前記第２通信端末に送信させる送信制御部
として機能させる通信制御プログラム。
【発明の詳細な説明】
【技術分野】
【０００１】
本発明は、通信端末、通信方法、通信プログラム、通信制御装置、通信制御方法、通信制御プログラム、および通信システムに関する。特に、本発明は、音声データのパケット通信を行う通信端末、通信方法、通信プログラム、通信制御装置、通信制御方法、通信制御プログラム、および通信システムに関する。
【背景技術】
【０００２】
特許文献１には、ＰｏＣ（Ｐｕｓｈ−ｔｏ−ｔａｌｋ  ｏｖｅｒ  Ｃｅｌｌｕｌａｒ）の各セッション間で送受信される通信内容を、予め定めたルールにしたがって記録するＰｏＣシステムについて提案されている。
【特許文献１】特開２００５−２３４６６６号公報
【発明の開示】
【発明が解決しようとする課題】
【０００３】
特許文献１に記載の発明においては、複数の通信端末間で半二重のＰｕｓｈ−Ｔｏ−Ｔａｌｋ（ＰＴＴ）通信方式による通信が行われている場合において、当該ＰＴＴ通信方式による通信に参加していない通信端末があるとき、例えば、圏外に存在する通信端末があるときには、ＰＴＴ通信方式による通信の内容を示す通信内容をセッションの開始から記録することができる。しかしながら、ＰＴＴ通信方式のようにリアルタイムで通信内容の送受信が行われる場合においては、圏外から圏内に移動した通信端末に、セッションの開始から記録された通信内容を後から送信して当該通信端末を利用するユーザに通知しても、当該ユーザは通信内容を把握することが困難な場合がある。
【０００４】
そこで本発明は、上記課題を解決することができる通信端末、通信方法、通信プログラム、通信制御装置、通信制御方法、通信制御プログラム、および通信システムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、音声データのパケット通信を行う通信端末であって、音声を入力する音声入力部と、音声入力部が入力した音声を示す音声パケットを生成する音声パケット生成部と、音声パケット生成部が生成した音声パケットを通信相手の通信端末に送信するデータ送信部と、通信相手の通信端末との通信を中継する外部の通信中継装置からの電界強度を監視することにより、データ送信部から通信相手の通信端末へ音声パケットを送信できるか否かを判断する通信可否判断部と、通信可否判断部が、データ送信部から音声パケットを送信できないと判断した場合に、データ送信部が送信すべき音声パケットが示す音声データを記録するデータ記録部と、データ記録部が音声データを記録した場合に、通信中継装置からの電界強度を監視することにより、データ送信部から音声パケットを送信できる状態になったことを検知する送信可能検知部と、送信可能検知部が、データ送信部から音声パケットを送信できる状態になったこと検知した場合に、データ記録部が記録している音声データを示す音声パケットをデータ送信部から通信相手の通信端末に送信させる送信制御部とを備える。
【０００６】
また、送信制御部は、通信可否判断部が音声パケットを送信できないと判断したときから、予め定められた第１の時間が経過するまでに、送信可能検知部が音声パケットを送信できる状態になったことを検知した場合に、データ記録部が記録している音声データが示す音声パケットをデータ送信部から通信相手の通信端末に送信させてもよい。また、通信可否判断部が音声パケットを送信できないことを判断したときから、第１の時間が経過するまでに、送信可能検知部が音声パケットを送信できる状態になったことを検知しない場合に、データ記録部が記録している音声データを消去するデータ消去部を更に備えてもよい。
【０００７】
また、本発明の第２の形態においては、音声データのパケット通信を行う通信方法であって、音声を入力する音声入力段階と、音声入力段階において入力された音声を示す音声パケットを生成する音声パケット生成段階と、通信相手の通信端末との通信を中継する外部の通信中継装置からの電界強度を監視することにより、音声パケット生成段階において生成した音声パケットを通信相手の通信端末に送信するデータ送信部から送信できるか否かを判断する通信可否判断段階と、通信可否判断段階において、データ送信部から音声パケットを送信できないと判断した場合に、データ送信部が送信すべき音声パケットが示す音声データを記録するデータ記録段階と、データ記録段階で音声データが記録された場合に、通信中継装置からの電界強度を監視することにより、データ送信部から音声パケットを送信できる状態になったことを検知する送信可能検知段階と、送信可能検知段階において、データ送信部から音声パケットを送信できる状態になったこと検知した場合に、データ記録段階において記録した音声データを示す音声パケットをデータ送信部から通信相手の通信端末に送信させる送信制御段階とを備える。
【０００８】
また、本発明の第３の形態においては、音声データのパケット通信を行う通信端末用の通信プログラムであって、通信端末を、音声を入力する音声入力部、音声入力部が入力した音声を示す音声パケットを生成する音声パケット生成部、音声パケット生成部が生成した音声パケットを通信相手の通信端末に送信するデータ送信部、通信相手の通信端末との通信を中継する外部の通信中継装置からの電界強度を監視することにより、データ送信部から通信相手の通信端末へ音声パケットを送信できるか否かを判断する通信可否判断部、通信可否判断部が、データ送信部から音声パケットを送信できないと判断した場合に、データ送信部が送信すべき音声パケットが示す音声データを記録するデータ記録部、データ記録部が音声データを記録した場合に、通信中継装置からの電界強度を監視することにより、データ送信部から音声パケットを送信できる状態になったことを検知する送信可能検知部、送信可能検知部が、データ送信部から音声パケットを送信できる状態になったこと検知した場合に、データ記録部が記録している音声データを示す音声パケットをデータ送信部から通信相手の通信端末に送信させる送信制御部として機能させる。
【０００９】
また、本発明の第４の形態においては、第１通信端末と第１通信端末の通信相手である第２通信端末との間の音声データのパケット通信を制御する通信制御装置であって、第１通信端末が送信する音声パケットを受信するデータ受信部と、データ受信部が受信した音声パケットを第２通信端末に送信するデータ送信部と、第２通信端末との通信を中継する外部の通信中継装置から第２通信端末への電界強度に基づいて、第２通信端末へデータ送信部から音声パケットを送信できるか否かを判断する通信可否判断部と、通信可否判断部が、第２通信端末へデータ送信部から音声パケットを送信できないと判断した場合に、データ送信部が送信すべき音声パケットが示す音声データを記録するデータ記録部と、データ記録部が音声データを記録した場合に、通信中継装置から第２通信端末への電界強度に基づいて、データ送信部から第２通信端末へ音声パケットを送信できる状態になったことを検知する送信可能検知部と、送信可能検知部が、データ送信部から音声パケットを送信できる状態になったこと検知した場合に、データ記録部が記録している音声データを示す音声パケットをデータ送信部から第２通信端末に送信させる送信制御部とを備える。
【００１０】
また、本発明の第５の形態においては、第１通信端末と第１通信端末の通信相手である第２通信端末との間の音声データのパケット通信を制御する通信制御方法であって、第１通信端末が送信する音声パケットを受信するデータ受信段階と、第２通信端末との通信を中継する外部の通信中継装置から第２通信端末への電界強度に基づいて、第２通信端末へ、データ受信段階において受信された音声パケットを第２通信端末に送信するデータ送信部から音声パケットを送信できるか否かを判断する通信可否判断段階と、通信可否判断段階において、第２通信端末へデータ送信部から音声パケットを送信できないと判断した場合に、データ送信部が送信すべき音声パケットが示す音声データを記録するデータ記録段階と、データ記録段階において音声データを記録した場合に、通信中継装置から第２通信端末への電界強度に基づいて、データ送信部から第２通信端末へ音声パケットを送信できる状態になったことを検知する送信可能検知段階と、送信可能検知段階において、データ送信部から音声パケットを送信できる状態になったこと検知した場合に、データ記録段階において記録した音声データを示す音声パケットをデータ送信部から第２通信端末に送信させる送信制御段階とを備える。
【００１１】
また、本発明の第６の形態においては、第１通信端末と第１通信端末の通信相手である第２通信端末との間の音声データのパケット通信を制御する通信制御装置用の通信制御プログラムであって、通信制御装置を、第１通信端末が送信する音声パケットを受信するデータ受信部、データ受信部が受信した音声パケットを第２通信端末に送信するデータ送信部、第２通信端末との通信を中継する外部の通信中継装置から第２通信端末への電界強度に基づいて、第２通信端末へデータ送信部から音声パケットを送信できるか否かを判断する通信可否判断部、通信可否判断部が、第２通信端末へデータ送信部から音声パケットを送信できないと判断した場合に、データ送信部が送信すべき音声パケットが示す音声データを記録するデータ記録部、データ記録部が音声データを記録した場合に、通信中継装置から第２通信端末への電界強度に基づいて、データ送信部から第２通信端末へ音声パケットを送信できる状態になったことを検知する送信可能検知部、送信可能検知部が、データ送信部から音声パケットを送信できる状態になったこと検知した場合に、データ記録部が記録している音声データを示す音声パケットをデータ送信部から第２通信端末に送信させる送信制御部として機能させる。
【００１２】
また、本発明の第７の形態においては、通信相手の通信端末と音声データのパケット通信をする通信端末と、通信端末と通信相手の通信端末との間の音声データのパケット通信を制御する通信制御装置とを備える通信システムであって、通信端末は、音声を入力する音声入力部と、音声入力部が入力した音声を示す音声パケットを生成する音声パケット生成部と、音声パケット生成部が生成した音声パケットを通信相手の通信端末に送信するデータ送信部と、通信相手の通信端末との通信を中継する外部の通信中継装置からの電界強度を監視することにより、データ送信部から通信相手の通信端末へ音声パケットを送信できるか否かを判断する通信可否判断部と、通信可否判断部が、データ送信部から音声パケットを送信できないと判断した場合に、データ送信部が送信すべき音声パケットが示す音声データを記録するデータ記録部と、データ記録部が音声データを記録した場合に、通信中継装置からの電界強度を監視することにより、データ送信部から音声パケットを送信できる状態になったことを検知する送信可能検知部と、送信可能検知部が、データ送信部から音声パケットを送信できる状態になったこと検知した場合に、データ記録部が記録している音声データを示す音声パケットをデータ送信部から通信相手の通信端末に送信させる送信制御部とを有する。
【００１３】
また、本発明の第８の形態においては、通信相手の通信端末と音声データのパケット通信をする通信端末と、通信端末と通信相手の通信端末との間の音声データのパケット通信を制御する通信制御装置とを備える通信システムにおける通信端末が音声データのパケット通信を行う通信方法であって、音声を入力する音声入力段階と、音声入力段階において入力された音声を示す音声パケットを生成する音声パケット生成段階と、通信相手の通信端末との通信を中継する外部の通信中継装置からの電界強度を監視することにより、音声パケット生成段階において生成した音声パケットを通信相手の通信端末に送信するデータ送信部から送信できるか否かを判断する通信可否判断段階と、通信可否判断段階において、データ送信部から音声パケットを送信できないと判断した場合に、データ送信部が送信すべき音声パケットが示す音声データを記録するデータ記録段階と、データ記録段階で音声データが記録された場合に、通信中継装置からの電界強度を監視することにより、データ送信部から音声パケットを送信できる状態になったことを検知する送信可能検知段階と、送信可能検知段階において、データ送信部から音声パケットを送信できる状態になったこと検知した場合に、データ記録段階において記録した音声データを示す音声パケットをデータ送信部から通信相手の通信端末に送信させる送信制御段階とを有する。
【００１４】
また、本発明の第９の形態においては、通信相手の通信端末と音声データのパケット通信をする通信端末と、通信端末と通信相手の通信端末との間の音声データのパケット通信を制御する通信制御装置とを備える通信システム用の通信プログラムであって、通信システムの通信端末を、音声を入力する音声入力部、音声入力部が入力した音声を示す音声パケットを生成する音声パケット生成部、音声パケット生成部が生成した音声パケットを通信相手の通信端末に送信するデータ送信部、通信相手の通信端末との通信を中継する外部の通信中継装置からの電界強度を監視することにより、データ送信部から通信相手の通信端末へ音声パケットを送信できるか否かを判断する通信可否判断部、通信可否判断部が、データ送信部から音声パケットを送信できないと判断した場合に、データ送信部が送信すべき音声パケットが示す音声データを記録するデータ記録部、データ記録部が音声データを記録した場合に、通信中継装置からの電界強度を監視することにより、データ送信部から音声パケットを送信できる状態になったことを検知する送信可能検知部、送信可能検知部が、データ送信部から音声パケットを送信できる状態になったこと検知した場合に、データ記録部が記録している音声データを示す音声パケットをデータ送信部から通信相手の通信端末に送信させる送信制御部として機能させる。
【００１５】
また、本発明の第１０の形態においては、第１通信端末と第１通信端末の通信相手である第２通信端末と、第１通信端末と第２通信端末との間の音声データのパケット通信を制御する通信制御装置を備える通信システムであって、通信制御装置は、第１通信端末が送信する音声パケットを受信するデータ受信部と、データ受信部が受信した音声パケットを第２通信端末に送信するデータ送信部と、第２通信端末との通信を中継する外部の通信中継装置から第２通信端末への電界強度に基づいて、第２通信端末へデータ送信部から音声パケットを送信できるか否かを判断する通信可否判断部と、通信可否判断部が、第２通信端末へデータ送信部から音声パケットを送信できないと判断した場合に、データ送信部が送信すべき音声パケットが示す音声データを記録するデータ記録部と、データ記録部が音声データを記録した場合に、通信中継装置から第２通信端末への電界強度に基づいて、データ送信部から第２通信端末へ音声パケットを送信できる状態になったことを検知する送信可能検知部と、送信可能検知部が、データ送信部から音声パケットを送信できる状態になったこと検知した場合に、データ記録部が記録している音声データを示す音声パケットをデータ送信部から第２通信端末に送信させる送信制御部とを有する。
【００１６】
また、本発明の第１１の形態においては、第１通信端末と第１通信端末の通信相手である第２通信端末と、第１通信端末と第２通信端末との間の音声データのパケット通信を制御する通信制御装置を備える通信システムにおける通信制御装置が通信を制御する通信制御方法であって、第１通信端末が送信する音声パケットを受信するデータ受信段階と、第２通信端末との通信を中継する外部の通信中継装置から第２通信端末への電界強度に基づいて、第２通信端末へ、データ受信段階において受信された音声パケットを第２通信端末に送信するデータ送信部から音声パケットを送信できるか否かを判断する通信可否判断段階と、通信可否判断段階において、第２通信端末へデータ送信部から音声パケットを送信できないと判断した場合に、データ送信部が送信すべき音声パケットが示す音声データを記録するデータ記録段階と、データ記録段階において音声データを記録した場合に、通信中継装置から第２通信端末への電界強度に基づいて、データ送信部から第２通信端末へ音声パケットを送信できる状態になったことを検知する送信可能検知段階と、送信可能検知段階において、データ送信部から音声パケットを送信できる状態になったこと検知した場合に、データ記録段階において記録した音声データを示す音声パケットをデータ送信部から第２通信端末に送信させる送信制御段階とを有する。
【００１７】
また、本発明の第１２の形態においては、第１通信端末と第１通信端末の通信相手である第２通信端末と、第１通信端末と第２通信端末との間の音声データのパケット通信を制御する通信制御装置を備える通信システム用の通信制御プログラムであって、通信制御装置を、第１通信端末が送信する音声パケットを受信するデータ受信部、データ受信部が受信した音声パケットを第２通信端末に送信するデータ送信部、第２通信端末との通信を中継する外部の通信中継装置から第２通信端末への電界強度に基づいて、第２通信端末へデータ送信部から音声パケットを送信できるか否かを判断する通信可否判断部、通信可否判断部が、第２通信端末へデータ送信部から音声パケットを送信できないと判断した場合に、データ送信部が送信すべき音声パケットが示す音声データを記録するデータ記録部、データ記録部が音声データを記録した場合に、通信中継装置から第２通信端末への電界強度に基づいて、データ送信部から第２通信端末へ音声パケットを送信できる状態になったことを検知する送信可能検知部、送信可能検知部が、データ送信部から音声パケットを送信できる状態になったこと検知した場合に、データ記録部が記録している音声データを示す音声パケットをデータ送信部から第２通信端末に送信させる送信制御部として機能させる。
【００１８】
なお、上記の発明の概要は、本発明の必要な特徴の全てを列挙したものではなく、これらの特徴群のサブコンビネーションもまた、発明となりうる。
【発明の効果】
【００１９】
本発明によれば、通信端末が圏外に移動した場合であっても、通信内容の理解ができる範囲で、通信内容を通信相手の通信端末に送信することができる。
【発明を実施するための最良の形態】
【００２０】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００２１】
図１は、本発明の一実施形態に係る通信システムの概要を示す。通信システムは、複数の通信端末１０、通信制御装置２０、および複数の通信中継装置３０を備える。複数の通信端末１０はそれぞれ通信制御装置２０に制御されて、通信中継装置３０およびネットワーク４０を介して通信相手の通信端末１０と通信する。複数の通信端末１０は、例えば、半二重のＰｕｓｈ−Ｔｏ−Ｔａｌｋ（ＰＴＴ）通信方式で通信相手の通信端末１０と通信する。
【００２２】
本実施形態に係る通信端末１０または通信制御装置２０は、通信端末１０が圏外に移動した後、再び圏内に復帰した場合に、当該通信端末１０の通信相手である通信端末１０を利用するユーザが通信内容を理解し得る範囲で、通信相手である通信端末１０に当該通信内容を示す音声データを送信することを目的とする。
【００２３】
まず、通信端末１０（Ａ）は、他の複数の通信端末１０との間でＰＴＴ通信方式のセッションを確立する。具体的には、通信端末１０（Ａ）は、他の複数の通信端末１０とＰＴＴ通信方式による通信を所望する旨を示すＩＮＶＩＴＥメッセージを、通信中継装置３０（Ａ）およびネットワーク４０を介して通信制御装置２０に送信する。通信中継装置３０は、例えば、携帯電話の基地局である。また、通信制御装置２０は、例えばＳＩＰサーバである。なお、通信制御装置２０が備える機能および構成の一部、または全部を通信中継装置３０が備えてもよい。また、通信制御装置２０が備える機能および構成の全部を、通信制御装置２０および通信中継装置３０が併せて備えていてもよい。
【００２４】
そして、通信制御装置２０は、他の複数の通信端末１０（例えば、通信端末１０（Ｂ）、通信端末１０（Ｃ）、および通信端末１０（Ｄ））にＩＮＶＩＴＥメッセージを送信する。続いて、他の複数の通信端末１０から通信制御装置２０にＰＴＴ通信方式による通信を受け入れる旨を示すメッセージ（例えば、２００ＯＫ）が送信され、当該メッセージを通信端末１０（Ａ）が受け取ると、通信端末１０（Ａ）と他の通信端末１０との間でＰＴＴ通信方式によるセッションが確立される。これにより、通信端末１０（Ａ）は他の複数の通信端末１０に対して、ＰＴＴ通信方式で通信できる。
【００２５】
次に、通信端末１０（Ａ）がＰＴＴ通信方式の通信において、音声データを他の複数の通信端末１０のそれぞれに送信できる状態である場合、すなわち発話権を有している場合を考える。係る場合において通信端末１０（Ａ）が音声パケットを送信中に圏外に移動した場合、すなわち、通信中継装置３０（Ａ）から通信端末１０（Ａ）への電界強度が所定値以下になり、ＰＴＴ通信方式の通信の続行が不能になった場合に、通信端末１０（Ａ）は、通信端末１０（Ａ）を利用するユーザが発した音声を音声データとして記録する。
【００２６】
そして、予め定められた第１の時間（例えば、３秒間）以内に通信端末１０（Ａ）が圏内に復帰した場合には、通信端末１０（Ａ）は、記録した音声データを示す音声パケットを通信中継装置３０（Ａ）に送信する。通信中継装置３０（Ａ）は、受信した音声パケットを、ネットワーク４０を介して通信制御装置２０に送信する。通信制御装置２０はネットワーク４０、および通信中継装置３０（Ａ）並びに通信中継装置３０（Ｂ）を介して、通信端末１０（Ｂ）、通信端末１０（Ｃ）、および通信端末１０（Ｄ）のそれぞれに、通信端末１０（Ａ）から受信した音声パケットを送信する。
【００２７】
一方、予め定められた第１の時間以内に通信端末１０（Ａ）が圏内に復帰しなかった場合には、通信端末１０（Ａ）は、記録していた音声データを消去する。これにより、通信端末１０（Ａ）が予め定められた第１の時間以内に圏内に復帰した場合には、記録していた音声データを示す音声パケットを通信相手の複数の通信端末１０に送信する一方で、予め定められた第１の時間を経過したときには、記録していた音声データを消去するので、通信相手の複数の通信端末１０において通信端末１０（Ａ）を利用するユーザが発した音声の遅延が発生することを防止できる。
【００２８】
また、第１の時間よりも長い、予め定められた第２の時間（例えば、３０秒間）を経過するまでに通信端末１０（Ａ）が圏内に復帰しなかった場合には、通信端末１０（Ａ）は、通信端末１０（Ａ）と他の通信端末１０との間で確立していたセッションを自動的に切断する。これにより、通信端末１０（Ａ）が圏外に移動した後、予め定められた第２の時間が経過したときには、通信端末１０（Ａ）側でセッションを切断できるので、通信制御装置２０側が、通信端末１０（Ａ）が圏外に移動したことを検知して既にセッションを切断していた場合に、通信端末１０（Ａ）において当該セッションが未だ存続していると認識することがなくなり、通信端末１０（Ａ）と通信制御装置２０との間でセッションの存続／切断の認識について不整合が生じることがなくなる。
【００２９】
図２は、本実施形態に係る通信端末１０の機能構成の一例を示す。通信端末１０は、音声データのパケット通信を行う通信端末であって、具体的には、携帯電話端末である。例えば、通信端末１０は、半二重通信方式であるＰＴＴ通信方式で音声データのパケット通信を行う携帯電話端末である。また、通信端末１０は、音声データのパケット通信を行う機能を有する、ノートパソコン、ＰＤＡ、ゲーム機等の携帯情報端末、およびデスクトップ型ＰＣであってもよい。通信端末１０は、音声入力部１００、音声出力部１０５、端末側データ送信部１１０、端末側データ受信部１１５、端末側通信制御ユニット１２０、端末側データ記録部１３０、音声パケット生成部１３５、通信モード設定部１４０、端末側通信可否判断部１５０、端末側送信可能検知部１５５、端末側タイマユニット１６０、端末側データ消去部１７０、および端末側電界強度検出部１８０を備える。
【００３０】
また、端末側通信制御ユニット１２０は、端末側送信制御部１２２、端末側受信制御部１２４、および端末側通信制御部１２６を有する。また、端末側タイマユニット１６０は、端末側第１タイマ１６２および端末側第２タイマ１６４を有する。なお、端末側データ送信部１１０、端末側データ受信部１１５、端末側送信制御部１２２、端末側データ記録部１３０、端末側通信可否判断部１５０、端末側送信可能検知部１５５、および端末側データ消去部１７０はそれぞれ、通信端末に係る請求項、および請求項９から請求項１３に記載のデータ送信部、データ受信部、通信可否判断部、送信可能検知部、データ記録部、データ消去部、および送信制御部の一例である。
【００３１】
音声入力部１００は、通信端末１０を利用するユーザが発した音声、および通信端末１０の周囲の音声を入力する。音声入力部１００は入力した音声を示す音声データを、音声パケット生成部１３５および端末側データ記録部１３０に供給する。音声パケット生成部１３５は、音声入力部１００から受け取った音声を示す音声パケットを生成する。具体的には、音声パケット生成部１３５は、音声入力部１００が入力したアナログ音声信号をＡＤ変換して得た、予め定められたサンプリング周波数のデジタル音声信号を、符号化およびパケット化して音声パケットを生成する。また、音声パケット生成部１３５は、端末側データ記録部１３０から受け取った音声データを示す音声パケットを生成する。音声パケット生成部１３５は、生成した音声パケットを端末側データ送信部１１０および端末側データ記録部１３０に供給する。
【００３２】
端末側データ送信部１１０は、音声パケット生成部１３５から受け取った音声パケットを通信相手の通信端末１０に送信する。端末側データ送信部１１０は、端末側通信制御ユニット１２０が有する端末側送信制御部１２２に制御されて、音声パケットを送信する送信モードに当該通信端末１０が設定されているときに、音声パケット生成部１３５から受け取った音声パケットを通信相手の通信端末１０に送信する。端末側受信制御部１２４は、端末側データ受信部１１５を制御して、通信相手の通信端末１０が送信する音声パケットを受信させる。そして、端末側データ受信部１１５は、通信相手の通信端末１０が送信した音声パケットを受信する。すなわち、端末側データ受信部１１５は、端末側通信制御ユニット１２０が有する端末側受信制御部１２４に制御されて、当該通信端末１０が音声パケットを受信する受信モードに設定されているときに、通信相手の通信端末１０から音声パケットを受信する。端末側データ受信部１１５は、受信した音声パケットを音声出力部１０５に供給する。
【００３３】
音声出力部１０５は、端末側データ受信部１１５から受け取った音声パケットが示す音声を出力する。端末側電界強度検出部１８０は、通信中継装置３０からの電界強度を検出する。端末側電界強度検出部１８０は、常時、通信中継装置３０からの電界強度を検出する。また、端末側電界強度検出部１８０は、予め定められた時間間隔で、通信中継装置３０からの電界強度を検出してもよい。例えば、端末側電界強度検出部１８０は、後述する端末側第１タイマ１６２が計測する第１の時間よりも短い時間間隔で、通信中継装置３０からの電界強度を検出する。端末側電界強度検出部１８０は、検出した電界強度を示す情報を端末側通信可否判断部１５０および端末側送信可能検知部１５５に供給する。
【００３４】
端末側通信可否判断部１５０は、通信相手の通信端末１０との通信を中継する外部の通信中継装置３０からの電界強度を監視することにより、端末側データ送信部１１０から通信相手の通信端末１０へ音声パケットを送信できるか否かを判断する。具体的には、端末側通信可否判断部１５０は、端末側電界強度検出部１８０から受け取った情報が示す電界強度が、予め定められた閾値以下になった場合に、通信相手の通信端末１０へ音声パケットを送信できないと判断する。また、端末側通信可否判断部１５０は、端末側電界強度検出部１８０から受け取った情報が示す電界強度が、予め定められた閾値を超えた場合に、通信相手の通信端末１０へ音声パケットを送信できると判断する。端末側通信可否判断部１５０は、判断結果を示す判断結果情報を、端末側データ記録部１３０および端末側データ消去部１７０に供給する。また、端末側通信可否判断部１５０は、端末側データ送信部１１０から通信相手の通信端末１０へ音声パケットを送信できるか否かを判断したタイミングで、端末側タイマユニット１６０が有する端末側第１タイマ１６２および端末側第２タイマ１６４を起動させる。
【００３５】
端末側データ記録部１３０は、端末側通信可否判断部１５０から受け取った判断結果情報が、端末側データ送信部１１０から音声パケットを送信できない旨を示す場合に、端末側データ送信部１１０が送信すべき音声パケットが示す音声データを記録する。端末側データ記録部１３０は、受け取った判断結果情報が、端末側データ送信部１１０から音声パケットを送信できない旨を示す場合に、当該判断結果情報を端末側通信可否判断部１５０から受け取ったときから、音声入力部１００が入力した音声を示す音声データを記録する。また、端末側データ記録部１３０は、受け取った判断結果情報が、端末側データ送信部１１０から音声パケットを送信できない旨を示す場合に、当該判断結果情報を端末側通信可否判断部１５０から受け取ったときから、音声パケット生成部１３５が生成した音声パケットが示す音声データを記録してもよい。
【００３６】
更に、端末側データ記録部１３０は、端末側通信可否判断部１５０から判断結果情報を受け取らない場合においても、常時、音声入力部１００が入力した音声を示す音声データ、または音声パケット生成部１３５が生成した音声パケットが示す音声データを、端末側データ記録部１３０のデータ記録容量を上限として記録してもよい。そして、端末側データ記録部１３０は、端末側通信可否判断部１５０から判断結果情報を受け取るまで、記録している音声データまたは音声パケットが示す音声データを、新たに音声入力部１００が入力した音声データまたは新たに音声パケット生成部１３５が生成した音声パケットが示す音声データに置き換えて、音声データまたは音声パケットが示す音声データの記録を繰り返してもよい。端末側データ記録部１３０は、端末側送信制御部１２２に制御されて、記録している音声データを音声パケット生成部１３５に供給する。また、端末側データ記録部１３０は、音声データを記録した旨を示す情報を、端末側送信可能検知部１５５に供給する。
【００３７】
端末側送信可能検知部１５５は、端末側データ記録部１３０が音声データを記録した場合に、通信中継装置３０からの電界強度を監視することにより、端末側データ送信部１１０から音声パケットを送信できる状態になったことを検知する。具体的には、端末側送信可能検知部１５５は、端末側電界強度検出部１８０から受け取った情報が示す電界強度を常時、監視し続けて、監視中の電界強度が予め定められた閾値を超えた場合に、通信相手の通信端末１０へ音声パケットを送信できる状態になったことを検知する。端末側送信可能検知部１５５は、通信相手の通信端末１０へ音声パケットを送信できる状態になったことを検知した場合に、検知結果を示す情報を端末側送信制御部１２２および端末側データ消去部１７０に供給する。
【００３８】
端末側第１タイマ１６２は、端末側通信可否判断部１５０の制御により起動されて、予め定められた第１の時間（例えば、３秒間）を計測する。端末側第１タイマ１６２は、第１の時間の計測を開始したタイミングおよび第１の時間の計測が完了したタイミングを、端末側送信制御部１２２および端末側データ消去部１７０に通知する。端末側第２タイマ１６４は、端末側通信可否判断部１５０の制御により起動されて、端末側第１タイマ１６２が計測する第１の時間よりも長い、予め定められた第２の時間（例えば、３０秒間）を計測する。端末側第２タイマ１６４は、第２の時間の計測を開始したタイミングおよび第２の時間の計測が完了したタイミングを、端末側通信制御部１２６に通知する。
【００３９】
端末側送信制御部１２２は、端末側送信可能検知部１５５が、端末側データ送信部１１０から音声パケットを送信できる状態になったことを検知した場合に、端末側データ記録部１３０が記録している音声データを示す音声パケットを、端末側データ送信部１１０から通信相手の通信端末１０に送信させる。具体的には、端末側送信制御部１２２は、端末側送信可能検知部１５５から通信相手の通信端末１０へ音声パケットを送信できる状態になったことを示す検知結果を示す情報を受け取った場合に、端末側データ記録部１３０が記録している音声データを示す音声パケットを端末側データ送信部１１０から通信相手の通信端末１０へ送信すべく、端末側データ記録部１３０および端末側データ送信部１１０の動作を制御する。すなわち、端末側送信制御部１２２は、端末側データ記録部１３０を制御して、端末側データ記録部１３０が記録している音声データを音声パケット生成部１３５に供給させる。そして、端末側送信制御部１２２は、端末側データ送信部１１０を制御して、音声パケット生成部１３５が生成した音声パケットを、通信相手の通信端末１０に送信させる。
【００４０】
また、端末側送信制御部１２２は、端末側通信可否判断部１５０が音声パケットを送信できないと判断したときから、予め定められた第１の時間が経過するまでに、端末側送信可能検知部１５５が音声パケットを送信できる状態になったことを検知した場合に、端末側データ記録部１３０が記録している音声データが示す音声パケットを、端末側データ送信部１１０から通信相手の通信端末１０に送信させる。具体的には、端末側送信制御部１２２は、端末側第１タイマ１６２から第１の時間の計測を開始したタイミングが通知されたときから、端末側送信可能検知部１５５から通信相手の通信端末１０へ音声パケットを送信できる状態になったことを検知した旨を示す情報を受け取るまでの時間が、第１の時間よりも短い場合に、端末側データ記録部１３０に働きかけて、端末側データ記録部１３０が記録している音声データが示す音声パケットを、端末側データ送信部１１０から通信相手の通信端末１０に送信させる。
【００４１】
端末側データ消去部１７０は、端末側通信可否判断部１５０が音声パケットを送信できないことを判断したときから、第１の時間が経過するまでに、端末側送信可能検知部１５５が音声パケットを送信できる状態になったことを検知しない場合に、端末側データ記録部１３０が記録している音声データを消去する。具体的には、端末側データ消去部１７０は、端末側通信可否判断部１５０から受け取った判断結果情報が音声パケットを送信できないことを示す場合において、端末側第１タイマ１６２から第１の時間の計測を開始したタイミングが通知されたときから、第１の時間が経過するまでに、端末側送信可能検知部１５５から、通信相手の通信端末１０へ音声パケットを送信できる状態になったことを示す検知結果を受け取らない場合に、端末側データ記録部１３０が記録している音声データを消去する。
【００４２】
通信モード設定部１４０は、端末側データ受信部１１５が音声パケットを受信して音声出力部１０５が音声を出力する受信モード、音声入力部１００音声を入力して端末側データ送信部１１０が音声パケットを送信する送信モードのいずれかに通信端末１０の通信モードを設定する。端末側通信制御部１２６は、端末側通信可否判断部１５０が音声パケットを送信できないと判断したときから、予め定められた第１の時間よりも長い予め定められた第２の時間が経過するまでに、端末側送信可能検知部１５５が音声パケットを送信できる状態になったことを検知しない場合に、通信相手の通信端末１０との間の半二重通信を終了する。
【００４３】
具体的には、端末側通信制御部１２６は、端末側第２タイマ１６４から第２の時間の計測を開始したタイミングが通知されたときから、端末側送信可能検知部１５５から通信相手の通信端末１０へ音声パケットを送信できる状態になったことを検知した旨を示す情報を受け取るまでの時間が、第２の時間を超える場合に、通信相手の通信端末１０との間の半二重通信を終了させるべく、端末側データ送信部１１０および端末側データ受信部１１５を制御する。
【００４４】
本実施形態に係る通信端末１０によれば、通信端末１０が圏外に移動した場合に、ユーザが発した音声を音声データとして記録するとともに、所定の時間内に通信端末１０が圏内に復帰した場合に、即座に記録した音声データを通信相手の通信端末１０に自動送信できる。これにより、通信端末１０が圏外に移動した場合であって、短時間で圏内に復帰した場合には、通信相手の通信端末１０に送信した音声データが欠落することを防止して、通信相手の通信端末１０においては音声の飛びが生じることを抑制できる。
【００４５】
また、本実施形態に係る通信端末１０によれば、通信端末１０が通信相手の通信端末１０とＰＴＴ通信方式の通信のセッションが確立された状態で、長時間、圏外に存在している場合には、通信端末１０は、自動的に当該セッションを切断できる。これにより、通信制御装置２０が把握している通信端末１０の状態と、通信端末１０の状態とが一致しないということがなくなる。
【００４６】
図３は、本実施形態に係る通信端末１０における処理の流れの一例を示す。まず、音声入力部１００が音声を入力する（Ｓ１０００）。音声入力部１００は、入力した音声を示す音声データを音声パケット生成部１３５に供給する。音声パケット生成部１３５は、音声入力部１００から受け取った音声データを示す音声パケットを生成する（Ｓ１０１０）。この場合において、端末側通信可否判断部１５０は、端末側データ送信部１１０から通信相手の通信端末１０に音声パケットを送信することができるか否かを、端末側電界強度検出部１８０が検出した電界強度から判断する（Ｓ１０１５）。すなわち、端末側通信可否判断部１５０は、通信端末１０が圏内に存在するか圏外に存在するかを判断する。
【００４７】
端末側通信可否判断部１５０が、通信端末１０が圏外に存在すると判断した場合に（Ｓ１０１５：Ｙｅｓ）、端末側データ記録部１３０は、音声入力部１００が入力した音声を示す音声データを記録する（Ｓ１０２０）。係る場合に、端末側通信可否判断部１５０が音声パケットを送信できないと判断したとき、すなわち、通信端末１０が圏外に存在することとなったときに起動した、端末側第１タイマ１６２が計測する第１の時間が経過するまで通信端末１０が圏内に復帰しなかった場合には（Ｓ１０２５：Ｙｅｓ）、端末側データ消去部１７０は端末側データ記録部１３０が記録した音声データを消去する（Ｓ１０３０）。
【００４８】
一方、端末側通信可否判断部１５０が、通信端末１０が圏内に存在すると判断した場合（Ｓ１０１５：Ｎｏ）、および通信端末１０が圏外に存在することとなったときから第１の時間が経過するまでに通信端末１０が圏内に復帰した場合には（Ｓ１０２５：Ｎｏ）、端末側送信制御部１２２は、端末側データ記録部１３０が記録している音声データを示す音声パケットを、端末側データ送信部１１０から通信相手の通信端末１０に送信させる（Ｓ１０３５）。そして、通信端末１０が発話権を解放した場合に（Ｓ１０４５：Ｙｅｓ）、通信端末１０は処理を終了する。また、通信端末１０が発話権を有したままである場合には（Ｓ１０４５：Ｎｏ）、音声入力部１００は音声の入力を続行する。
【００４９】
そして、端末側通信可否判断部１５０が音声パケットを送信できないと判断したときから、端末側第２タイマ１６４が計測する予め定められた第２の時間が経過するまでに、通信端末１０が圏内に復帰しない場合には（Ｓ１０４０：Ｙｅｓ）、端末側通信制御部１２６は、通信相手の通信端末１０との半二重通信を終了する（Ｓ１０５０）。一方、端末側通信可否判断部１５０が音声パケットを送信できないと判断したときから、端末側第２タイマ１６４が計測する予め定められた第２の時間が経過するまでに、通信端末１０が圏内に復帰した場合には（Ｓ１０４０：Ｎｏ）、音声入力部１００は音声の入力を続行する。
【００５０】
図４は、他の実施形態に係る通信制御装置２０の機能構成の一例を示す。通信制御装置２０は、第１通信端末と第１通信端末の通信相手である第２通信端末との間の音声データのパケット通信を制御する。通信制御装置２０は、例えば、ＳＩＰサーバである。また、第１通信端末および第２通信端末は、図１から図３の上記説明における通信端末１０の機能および構成の一部を備えていてもよい。通信制御装置２０は、制御側データ送信部２１０、制御側データ受信部２１５、制御側送信制御部２２２、制御側通信制御部２２６、制御側データ記録部２３０、制御側通信可否判断部２５０、制御側送信可能検知部２５５、制御側タイマユニット２６０、制御側データ消去部２７０、および制御側電界強度検出部２８０を備える。制御側タイマユニット２６０は、制御側第１タイマ２６２および制御側第２タイマ２６４を有する。なお、制御側データ送信部２１０、制御側データ受信部２１５、制御側送信制御部２２２、制御側データ記録部２３０、制御側通信可否判断部２５０、および制御側送信可能検知部２５５はそれぞれ、通信制御装置に係る請求項、および請求項１４から請求項１６に記載のデータ送信部、データ受信部、通信可否判断部、送信可能検知部、データ記録部、データ消去部、および送信制御部の一例である。
【００５１】
制御側データ受信部２１５は、第１通信端末が送信した音声パケットを受信する。制御側データ受信部２１５は、受信した音声パケットを制御側送信制御部２２２の制御に基づいて、制御側データ記録部２３０に供給する。制御側データ送信部２１０は、制御側データ受信部２１５が受信した音声パケットを第２通信端末に送信する。制御側データ送信部２１０は、制御側送信制御部２２２に制御されて、制御側データ記録部２３０から受け取った音声パケットを第２通信端末に送信する。制御側電界強度検出部２８０は、通信中継装置３０から第２通信端末への電界強度を検出する。制御側電界強度検出部２８０は、検出した電界強度を示す情報を制御側通信可否判断部２５０および制御側送信可能検知部２５５に供給する。
【００５２】
制御側通信可否判断部２５０は、制御側電界強度検出部２８０から受け取った、外部の通信中継装置３０から第２通信端末への電界強度に基づいて、第２通信端末へ制御側データ送信部２１０から音声パケットを送信できるか否かを判断する。具体的には、制御側通信可否判断部２５０は、制御側電界強度検出部２８０から受け取った情報が示す電界強度が、予め定められた閾値以下になった場合に、第２通信端末へ音声パケットを送信できないと判断する。また、制御側通信可否判断部２５０は、制御側電界強度検出部２８０から受け取った情報が示す電界強度が、予め定められた閾値を超えた場合に、第２通信端末へ音声パケットを送信できると判断する。制御側通信可否判断部２５０は、判断結果を示す判断結果情報を、制御側データ記録部２３０および制御側データ消去部２７０に供給する。また、制御側通信可否判断部２５０は、制御側データ送信部２１０から第２通信端末へ音声パケットを送信できるか否かを判断したタイミングで、制御側タイマユニット２６０が有する制御側第１タイマ２６２および制御側第２タイマ２６４を起動させる。
【００５３】
制御側データ記録部２３０は、制御側通信可否判断部２５０から受け取った判断結果情報が、制御側データ送信部２１０から第２通信端末へ音声パケットを送信できない旨を示す場合に、制御側データ送信部２１０が送信すべき音声パケットが示す音声データを記録する。制御側データ記録部２３０は、受け取った判断結果情報が、制御側データ送信部２１０から第２通信端末へ音声パケットを送信できない旨を示す場合に、当該判断結果情報を制御側通信可否判断部２５０から受け取ったとき以降に、制御側データ受信部２１５が受信した音声パケットが示す音声データを記録する。一方、制御側データ記録部２３０は、制御側通信可否判断部２５０から受け取った判断結果情報が、制御側データ送信部２１０から第２通信端末へ音声パケットを送信できる旨を示す場合は、制御側データ受信部２１５から受け取った音声データを制御側データ送信部２１０に転送する。制御側データ送信部２１０は、制御側データ記録部２３０から転送された音声データを示す音声パケットを、第２通信端末に送信する。
【００５４】
また、制御側データ記録部２３０は、制御側通信可否判断部２５０から判断結果情報を受け取らない場合においても、常時、制御側データ受信部２１５が受信した音声データを、制御側データ記録部２３０のデータ記録容量を上限として記録してもよい。そして、制御側データ記録部２３０は、制御側通信可否判断部２５０から判断結果情報を受け取るまで、記録している音声データを、新たに制御側データ受信部２１５が受信した音声データに置き換えて、音声データの記録を繰り返してもよい。制御側データ記録部２３０は、制御側送信制御部２２２に制御されて、記録している音声データが示す音声パケットを、制御側データ送信部２１０に供給する。また、制御側データ記録部２３０は、音声データを記録した旨を示す情報を、制御側送信可能検知部２５５に供給する。
【００５５】
制御側送信可能検知部２５５は、制御側データ記録部２３０が音声データを記録した場合に、通信中継装置３０から第２通信端末への電界強度を監視することにより、制御側データ送信部２１０から第２通信端末へ音声パケットを送信できる状態になったことを検知する。具体的には、制御側送信可能検知部２５５は、制御側電界強度検出部２８０から受け取った情報が示す電界強度を常時、監視し続けて、監視中の電界強度が予め定められた閾値を超えた場合に、第２通信端末へ音声パケットを送信できる状態になったことを検知する。制御側送信可能検知部２５５は、第２通信端末へ音声パケットを送信できる状態になったことを検知した場合に、検知結果を示す情報を制御側送信制御部２２２、制御側通信制御部２２６および制御側データ消去部２７０に供給する。
【００５６】
制御側第１タイマ２６２は、制御側通信可否判断部２５０の制御により起動されて、予め定められた第１の時間（例えば、３秒間）を計測する。制御側第１タイマ２６２は、第１の時間の計測を開始したタイミングおよび第１の時間の計測が完了したタイミングを、制御側送信制御部２２２、制御側通信制御部２２６、および制御側データ消去部２７０に通知する。制御側第２タイマ２６４は、制御側通信可否判断部２５０の制御により起動されて、制御側第１タイマ２６２が計測する第１の時間よりも長い、予め定められた第２の時間（例えば、３０秒間）を計測する。制御側第２タイマ２６４は、第２の時間の計測を開始したタイミングおよび第２の時間の計測が完了したタイミングを、制御側通信制御部２２６に通知する。
【００５７】
制御側送信制御部２２２は、制御側送信可能検知部２５５が、制御側データ送信部２１０から音声パケットを送信できる状態になったことを検知した場合に、制御側データ記録部２３０が記録している音声データを示す音声パケットを、制御側データ送信部２１０から第２通信端末に送信させる。具体的には、制御側送信制御部２２２は、制御側送信可能検知部２５５から第２通信端末へ音声パケットを送信できる状態になったことを示す検知結果を示す情報を受け取った場合に、制御側データ記録部２３０が記録している音声データを示す音声パケットを、制御側データ送信部２１０から第２通信端末へ送信すべく、制御側データ記録部２３０および制御側データ送信部２１０の動作を制御する。
【００５８】
また、制御側送信制御部２２２は、制御側通信可否判断部２５０が音声パケットを第２通信端末へ送信できないと判断したときから、予め定められた第１の時間が経過するまでに、制御側送信可能検知部２５５が音声パケットを第２通信端末へ送信できる状態になったことを検知した場合に、制御側データ記録部２３０が記録している音声データが示す音声パケットを、制御側データ送信部２１０から第２通信端末に送信させる。具体的には、制御側送信制御部２２２は、制御側第１タイマ２６２から第１の時間の計測を開始したタイミングが通知されたときから、制御側送信可能検知部２５５から第２通信端末へ音声パケットを送信できる状態になったことを検知した旨を示す情報を受け取るまでの時間が、第１の時間よりも短い場合に、制御側データ記録部２３０に働きかけて、制御側データ記録部２３０が記録している音声データが示す音声パケットを、制御側データ送信部２１０から第２通信端末１０に送信させる。
【００５９】
制御側データ消去部２７０は、制御側通信可否判断部２５０が音声パケットを送信できないことを判断したときから、第１の時間が経過するまでに、制御側送信可能検知部２５５が音声パケットを送信できる状態になったことを検知しない場合に、制御側データ記録部２３０が記録している音声データを消去する。具体的には、制御側データ消去部２７０は、制御側通信可否判断部２５０から受け取った判断結果情報が音声パケットを送信できないことを示す場合において、制御側第１タイマ２６２から第１の時間の計測を開始したタイミングが通知されたときから、第１の時間が経過するまでに、制御側送信可能検知部２５５から、第２通信端末へ音声パケットを送信できる状態になったことを示す検知結果を受け取らない場合に、制御側データ記録部２３０が記録している音声データを消去する。
【００６０】
制御側通信制御部２２６は、制御側通信可否判断部２５０が音声パケットを第２通信端末へ送信できないと判断したときから、予め定められた第１の時間よりも長い予め定められた第２の時間が経過するまでに、制御側送信可能検知部２５５が音声パケットを第２通信端末へ送信できる状態になったことを検知しない場合に、第２通信端末との間の半二重通信を終了する。具体的には、制御側通信制御部２２６は、制御側第２タイマ２６４から第２の時間の計測を開始したタイミングが通知されたときから、制御側送信可能検知部２５５から第２通信端末へ音声パケットを送信できる状態になったことを検知した旨を示す情報を受け取るまでの時間が、第２の時間を超える場合に、第２通信端末との間の半二重通信を終了させる。
【００６１】
本実施形態に係る通信制御装置２０によれば、第１通信端末と第２通信端末とが通信中に、音声データを第１通信端末から受信中の第２通信端末が圏外に移動したことを検知したときに、第１通信端末が送信した音声データを記録して、第２通信端末が圏内に復帰したときに記録した音声データを第２通信端末に送信できる。これにより、音声データを受信する第２通信端末が短い期間、圏外に存在した場合でも、音声の遅延を感じさせない範囲で、第１通信端末が送信した音声データが示す音声を第２通信端末で出力することができる。
【００６２】
図５は、他の実施形態に係る通信制御装置２０における処理の流れの一例を示す。まず、制御側データ受信部２１５が、第１通信端末から音声パケットを受信する（Ｓ２０００）。制御側データ受信部２１５は、受信した音声パケットが示す音声データを、制御側データ記録部２３０に供給する。制御側通信可否判断部２５０は、制御側データ送信部２１０から第２通信端末に音声パケットを送信することができるか否かを、制御側電界強度検出部２８０が検出した電界強度から判断する（Ｓ２００５）。すなわち、制御側通信可否判断部２５０は、第２通信端末が圏内に存在するか圏外に存在するかを判断する。
【００６３】
制御側通信可否判断部２５０が、第２通信端末が圏外に存在すると判断した場合に（Ｓ２００５：Ｙｅｓ）、制御側データ記録部２３０は、制御側データ受信部２１５が受信した音声を示す音声データを記録する（Ｓ２０１０）。係る場合に、制御側通信可否判断部２５０が音声パケットを第２通信端末へ送信できないと判断したとき、すなわち、第２通信端末が圏外に存在することとなったときに起動した、制御側第１タイマ２６２が計測する第１の時間が経過するまで第２通信端末が圏内に復帰しなかった場合には（Ｓ２０１５：Ｙｅｓ）、制御側データ消去部２７０は制御側データ記録部２３０が記録した音声データを消去する（Ｓ２０２０）。
【００６４】
一方、制御側通信可否判断部２５０が、第２通信端末が圏内に存在すると判断した場合（Ｓ２００５：Ｎｏ）、および第２通信端末が圏外に存在することとなったときから第１の時間が経過するまでに第２通信端末が圏内に復帰した場合には（Ｓ２０１５：Ｎｏ）、制御側送信制御部２２２は、制御側データ記録部２３０が記録している音声データを示す音声パケットを、制御側データ送信部２１０から第２通信端末に送信させる（Ｓ２０２５）。そして、第１通信端末が発話権を解放した場合に（Ｓ２０３５：Ｙｅｓ）、通信制御装置２０は処理を終了する。また、第１通信端末が発話権を有したままである場合には（Ｓ２０３５：Ｎｏ）、制御側データ受信部２１５は音声パケットの受信を続行する。
【００６５】
そして、制御側通信可否判断部２５０が音声パケットを第２通信端末へ送信できないと判断したときから、制御側第２タイマ２６４が計測する予め定められた第２の時間が経過するまでに、第２通信端末が圏内に復帰しない場合には（Ｓ２０３０：Ｙｅｓ）、制御側通信制御部２２６は、第１通信端末と第２通信端末との間の半二重通信を終了する（Ｓ２０４０）。一方、制御側通信可否判断部２５０が音声パケットを第２通信端末へ送信できないと判断したときから、制御側第２タイマ２６４が計測する予め定められた第２の時間が経過するまでに、第２通信端末が圏内に復帰した場合には（Ｓ２０４０：Ｎｏ）、制御側データ受信部２１５は音声パケットの受信を続行する。
【００６６】
図６は、本実施形態に係る通信端末１０および通信制御装置２０のハードウェア構成の一例を示す。本実施形態に係る通信端末１０および通信制御装置２０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００６７】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００６８】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、通信端末１０および通信制御装置２０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。
【００６９】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、通信端末１０および通信制御装置２０が起動時に実行するブート・プログラム、通信端末１０および通信制御装置２０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００７０】
ＲＡＭ１５２０を介してハードディスクドライブ１５４０に提供される通信プログラムおよび通信制御プログラムは、フレキシブルディスク１５９０、ＣＤ−ＲＯＭ１５９５、またはＩＣカード等の記録媒体に格納されて利用者によって提供される。通信プログラムおよび通信制御プログラムは、記録媒体から読み出され、ＲＡＭ１５２０を介して通信端末１０および通信制御装置２０内のハードディスクドライブ１５４０にインストールされ、ＣＰＵ１５０５において実行される。
【００７１】
通信端末１０および通信制御装置２０にインストールされて実行される通信プログラムおよび通信制御プログラムは、ＣＰＵ１５０５等に働きかけて、通信端末１０および通信制御装置２０を、図１から図５にかけて説明した音声入力部１００、音声出力部１０５、端末側データ送信部１１０、端末側データ受信部１１５、端末側通信制御ユニット１２０、端末側送信制御部１２２、端末側受信制御部１２４、端末側通信制御部１２６、端末側データ記録部１３０、音声パケット生成部１３５、通信モード設定部１４０、端末側通信可否判断部１５０、端末側送信可能検知部１５５、端末側タイマユニット１６０、端末側第１タイマ１６２、端末側第２タイマ１６４、端末側データ消去部１７０、および端末側電界強度検出部１８０、並びに、制御側データ送信部２１０、制御側データ受信部２１５、制御側送信制御部２２２、制御側通信制御部２２６、制御側データ記録部２３０、制御側通信可否判断部２５０、制御側送信可能検知部２５５、制御側タイマユニット２６０、制御側第１タイマ２６２、制御側第２タイマ２６４、制御側データ消去部２７０、および制御側電界強度検出部２８０として機能させる。
【００７２】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００７３】
【図１】通信システムの概要図である。
【図２】通信端末１０の機能構成を示すブロック図である。
【図３】通信端末１０における処理の流れを示すフローチャートである。
【図４】通信制御装置２０の機能構成を示すブロック図である。
【図５】通信制御装置２０における処理の流れを示すフローチャートである。
【図６】通信端末１０および通信制御装置２０のハードウェア構成を示すブロック図である。
【符号の説明】
【００７４】
１０  通信端末
２０  通信制御装置
３０  通信中継装置
４０  ネットワーク
１００  音声入力部
１０５  音声出力部
１１０  端末側データ送信部
１１５  端末側データ受信部
１２０  端末側通信制御ユニット
１２２  端末側送信制御部
１２４  端末側受信制御部
１２６  端末側通信制御部
１３０  端末側データ記録部
１３５  音声パケット生成部
１４０  通信モード設定部
１５０  端末側通信可否判断部
１５５  端末側送信可能検知部
１６０  端末側タイマユニット
１６２  端末側第１タイマ
１６４  端末側第２タイマ
１７０  端末側データ消去部
１８０  端末側電界強度検出部
２１０  制御側データ送信部
２１５  制御側データ受信部
２２２  制御側送信制御部
２２６  制御側通信制御部
２３０  制御側データ記録部
２５０  制御側通信可否判断部
２５５  制御側送信可能検知部
２６０  制御側タイマユニット
２６２  制御側第１タイマ
２６４  制御側第２タイマ
２７０  制御側データ消去部
２８０  制御側電界強度検出部
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2008104082.tif 000003
【図２】
2008104082.tif 000004
【図３】
2008104082.tif 000005
【図４】
2008104082.tif 000006
【図５】
2008104082.tif 000007
【図６】
2008104082.tif 000008